(57)【特許請求の範囲】
【請求項１】
内部に穀物が供給される精穀筒と、
前記精穀筒内に設けられ、穀物を精穀する精穀体と、
前記精穀筒の軸方向一側に設けられる排出孔と、
前記排出孔内に嵌入されて前記排出孔を閉鎖すると共に、前記精穀体に支持されない状態で前記排出孔に移動可能に支持され、前記排出孔から移動されることで前記排出孔が開放されて前記排出孔から穀物が排出される閉鎖部材と、
前記閉鎖部材の移動垂直方向への変位を許容する許容手段と、
前記閉鎖部材に前記閉鎖部材の移動方向において係合されると共に、前記閉鎖部材に前記閉鎖部材の移動垂直方向において嵌合され、前記閉鎖部材を付勢して前記閉鎖部材の移動垂直方向への変位が抑制される付勢手段と、
を備えた精穀装置。
【請求項２】
前記閉鎖部材の前記排出孔側への変位を案内する案内手段を備えた請求項１記載の精穀装置。
【発明の詳細な説明】
【技術分野】
【０００１】
本発明は、穀物を精穀する精穀装置に関する。
【背景技術】
【０００２】
下記特許文献１に記載の精米装置では、精米筒内に精米ロールが設けられており、精米筒内に供給される玄米が精米ロールによって精米されて白米にされる。また、精米筒の軸方向一側に白米排出口が設けられると共に、白米排出口が弁体によって閉鎖されており、弁体が白米排出口から移動されることで、白米排出口が開放されて、白米排出口から白米が排出される。
【０００３】
ここで、この精米装置では、精米ロールに設けられるガイド孔に弁体に設けられるガイド軸が移動可能に支持されている。このため、弁体（ガイド軸の周面）が糠等の汚れが付着し易い精米ロール（ガイド孔の周面）と摺動されることで、弁体の移動性能が低下し、精米性能も低下する可能性がある。
【先行技術文献】
【特許文献】
【０００４】
【特許文献１】特開２００１−７９４２６号公報
【発明の概要】
【発明が解決しようとする課題】
【０００５】
本発明は、上記事実を考慮し、閉鎖部材の移動性能の低下とそれに伴う精穀性能の低下を抑制できる精穀装置を得ることが目的である。
【課題を解決するための手段】
【０００６】
請求項１に記載の精穀装置は、内部に穀物が供給される精穀筒と、前記精穀筒内に設けられ、穀物を精穀する精穀体と、前記精穀筒の軸方向一側に設けられる排出孔と、前記排出孔内に嵌入されて前記排出孔を閉鎖すると共に、前記精穀体に支持されない状態で前記排出孔に移動可能に支持され、前記排出孔から移動されることで前記排出孔が開放されて前記排出孔から穀物が排出される閉鎖部材と、前記閉鎖部材の移動垂直方向への変位を許容する許容手段と、前記閉鎖部材に前記閉鎖部材の移動方向において係合されると共に、前記閉鎖部材に前記閉鎖部材の移動垂直方向において嵌合され、前記閉鎖部材を付勢して前記閉鎖部材の移動垂直方向への変位が抑制される付勢手段と、を備えている。
【０００８】
請求項２に記載の精穀装置は、請求項１に記載の精穀装置において、前記閉鎖部材の前記排出孔側への変位を案内する案内手段を備えている。
【発明の効果】
【００１０】
請求項１に記載の精穀装置では、精穀筒内に精穀体が設けられており、精穀筒内に供給される穀物を精穀体が精穀する。さらに、精穀筒の軸方向一側に排出孔が設けられると共に、閉鎖部材が排出孔を閉鎖しており、閉鎖部材が排出孔から移動されることで、排出孔が開放されて、排出孔から穀物が排出される。
【００１１】
ここで、閉鎖部材が、精穀体に支持されない状態で、排出孔に移動可能に支持されている。このため、閉鎖部材が汚れが付着し易い精穀体と摺動されないことで、閉鎖部材の移動性能の低下とそれに伴う精穀性能の低下を抑制できる。
【００１２】
請求項１に記載の精穀装置では、閉鎖部材の移動垂直方向への変位を許容手段が許容する。このため、閉鎖部材を容易に組み付けることができる。
【００１３】
請求項２に記載の精穀装置では、案内手段が閉鎖部材の排出孔側への変位を案内する。このため、閉鎖部材を一層容易に組み付けることができる。
【００１４】
請求項１に記載の精穀装置では、付勢手段が閉鎖部材を付勢して、閉鎖部材の移動垂直方向への変位が抑制される。このため、閉鎖部材の移動動作を安定させることができる。
【図面の簡単な説明】
【００１５】
【図１】本発明の実施形態に係る精米装置を示す側方から見た断面図である。
【図２】本発明の実施形態に係る精米装置を示す斜視図である。
【図３】本発明の実施形態に係る精米装置の主要部を示す側方から見た断面図である。
【図４】本発明の実施形態に係る精米装置の主要部を示す斜視図である。
【発明を実施するための形態】
【００１６】
図１には、本発明の実施形態に係る精穀装置としての精米装置１０が側方から見た断面図にて示されており、図２には、精米装置１０が斜視図にて示されている。
【００１７】
図１及び図２に示す如く、本実施形態に係る精米装置１０には、供給手段としての矩形筒状のホッパ１２が設けられており、ホッパ１２の軸方向は、上下方向に平行に配置されている。ホッパ１２内には、上側から穀物（穀粒）としての米粒（玄米Ｇ）が供給可能にされており、ホッパ１２内に供給された米粒は、ホッパ１２内を流下される。
【００１８】
ホッパ１２の下側には、調整手段としての繰出機構１４が設けられており、繰出機構１４内は、ホッパ１２内に連通されている。繰出機構１４内には、ホッパ１２内を流下された米粒が供給可能にされており、繰出機構１４は、作動されることで、内部に供給された米粒を繰り出すと共に、繰り出す米粒の量を調整する。
【００１９】
繰出機構１４の側方には、円柱形容器状の支持筒１６が設けられており、支持筒１６の軸方向は、水平方向に対し略４５°傾斜されている（上下方向に平行にされてもよい）。支持筒１６内には、回転軸としての円柱状の支軸１８が同軸上かつ回転可能に支持されており、支軸１８は、支持筒１６の上側及び下側に延出されている。支軸１８の上側端には、ベルト２０を介して駆動手段としての精米モータ２２が接続されており、精米モータ２２が駆動されることで、支軸１８が回転される。
【００２０】
支持筒１６の下側には、円筒状の送出筒２４が一体に設けられており、送出筒２４は、支持筒１６と同軸上に配置されると共に、内部に支軸１８が同軸上に貫通されている。
【００２１】
送出筒２４内における支軸１８の外周には、送出本体としての略円筒状の送出筒体２６Ａが同軸上に固定されており、送出筒体２６Ａは、支軸１８と一体回転可能にされて、支軸１８の送出筒体２６Ａ固定部分と共に送出体としての送出ロール２６を構成している。送出ロール２６（送出筒体２６Ａ）の外周面には、螺旋状の送出螺旋２６Ｂが一体に設けられており、送出螺旋２６Ｂは、送出ロール２６の径方向外側に突出されている。
【００２２】
送出筒２４と送出ロール２６との間には、送出室２８が形成されており、送出室２８の上側端部は、繰出機構１４内に連通されている。このため、送出室２８には、繰出機構１４が繰り出した米粒が供給（流下）可能にされており、送出室２８に供給された米粒は、送出ロール２６が回転されることで、送出ロール２６の送出螺旋２６Ｂによって送出室２８を下側に送り出される。
【００２３】
送出筒２４の下側端外周には、円環板状の上板３０が一体に設けられており、上板３０は、送出筒２４と同軸上に配置されている。上板３０の下側には、設置部材としての円環板状の下板３２が連結されており、下板３２は、支軸１８の下側近傍において、上板３０と同軸上に配置されている。
【００２４】
上板３０と下板３２との間には、精穀筒としての六角形筒状の精米筒３４（金網）が固定されており、精米筒３４は、支持筒１６と同軸上に配置されると共に、内部に支軸１８が同軸上に挿入されている。精米筒３４の周壁全体には、多数の除去孔３６（図３参照）が形成されており、除去孔３６は、精米筒３４内と精米筒３４外とを連通させている。
【００２５】
精米筒３４内における支軸１８の外周には、精穀本体としての略円筒状の精米筒体３８Ａが同軸上に固定されており、精米筒体３８Ａは、支軸１８と一体回転可能にされて、支軸１８の精米筒体３８Ａ固定部分と共に精穀体（摩擦精穀手段）としての精米ロール３８（図３及び図４参照）を構成している。精米ロール３８（精米筒体３８Ａ）の外周面には、柱状の突条３８Ｂが所定数固定されており、突条３８Ｂは、精米ロール３８の径方向外側に突出されると共に、精米ロール３８の軸方向に平行に延伸されている。
【００２６】
精米筒３４と精米ロール３８との間には、精穀室としての精米室４０が形成されており、精米室４０の上側は、送出室２８に連通されている。このため、精米室４０には、送出室２８から送り出された米粒が供給可能にされており、精米室４０に供給された米粒は、精米ロール３８が回転されることで、精米ロール３８の突条３８Ｂによって攪拌される。これにより、米粒と米粒との間に発生する摩擦力によって米粒が精米（精穀）されて白米Ｈにされる。また、米粒が精米されて発生する糠（米粒から糠層が除去されて発生する糠粉）は、精米筒３４の除去孔３６を介して精米筒３４外に排出される。
【００２７】
図３に詳細に示す如く、下板３２の下側には、略円筒状の案内筒３２Ａが同軸上に一体に設けられており、案内筒３２Ａ内は、下板３２内と連通されている。下板３２内の上側部分は、円状の排出孔４２にされており、排出孔４２の径は、排出孔４２の軸方向に沿って一定にされている。下板３２内の下側部分から案内筒３２Ａ内の部分は、案内手段としての円状の案内孔４４にされており、案内孔４４は、排出孔４２と同軸上に配置されている。案内孔４４の下側端部を除く部分の周面は、案内部としての案内面４４Ａにされており、案内面４４Ａの径は、上側へ向かうに従い徐々に小さくされている。これにより、案内面４４Ａの上側端の径は、排出孔４２の径と同一にされると共に、案内孔４４の下側端部の径は、排出孔４２の径に比し大きくされている。
【００２８】
排出孔４２及び案内孔４４には、閉鎖部材としての略円柱状の抵抗弁４６が配置されている。
【００２９】
抵抗弁４６の上側端部には、本体部としての円板状の弁部４８が同軸上に形成されており、弁部４８の径は、抵抗弁４６の軸方向に沿って一定にされている。弁部４８は、排出孔４２に略同軸上に嵌入されており（図３参照）、弁部４８は、排出孔４２に軸方向へ移動可能に支持された状態で、排出孔４２を閉鎖している。抵抗弁４６の弁部４８より下側部分には、略円板状の閉鎖部５０が同軸上に形成されており、閉鎖部５０の下側端部を除く上側部分は、円錐台状にされて径が下側に向かうに従い徐々に大きくされている。これにより、閉鎖部５０の上側端の径は、弁部４８の径と同一にされると共に、閉鎖部５０の下側端部の径は、弁部４８及び排出孔４２の径に比し大きくされており、閉鎖部５０と案内孔４４の周面との間には、隙間が形成されている。
【００３０】
閉鎖部５０には、抑制手段を構成する円筒状の内筒５２が同軸上に固定されており、内筒５２は、閉鎖部５０から下側に突出されている。閉鎖部５０には、内筒５２の外周側において、円筒状の外筒５４が同軸上に固定されており、外筒５４は、閉鎖部５０から内筒５２より下側に突出されている。
【００３１】
閉鎖部５０には、許容手段（連結部材）を構成する略円柱状の連結リンク５６が同軸上に連結されており、連結リンク５６は、閉鎖部５０から外筒５４より下側に突出されている。連結リンク５６の下側部分には、球形容器状の連結枠５６Ａが形成されており、連結枠５６Ａ内は、下側（閉鎖部５０とは反対側）に開放されている。
【００３２】
連結リンク５６の下側には、許容手段（保持部材）を構成する略円柱状の保持リンク５８（図３参照）が連結されている。保持リンク５８の上側端部には、球状の連結球５８Ａが形成されており、連結球５８Ａは、連結リンク５６の連結枠５６Ａ内に嵌着されている。このため、保持リンク５８は、連結リンク５６の軸周りの回転を許容して、抵抗弁４６の軸周りの回転を許容すると共に、連結リンク５６の径方向への回動を許容して、抵抗弁４６の径方向への回動（変位）を許容している。
【００３３】
保持リンク５８は、抑制手段を構成する有底円筒状の保持筒６０内に同軸上に固定されており、保持筒６０内は、上側に開放されている。保持筒６０の上側端部は、抵抗弁４６の外筒５４内に挿入されており、保持筒６０に外筒５４が係合されることで、保持筒６０が抵抗弁４６の径方向外側への回動を係止可能にされている。
【００３４】
保持筒６０内と抵抗弁４６の内筒５２内との間には、付勢手段（第１付勢手段）としての圧縮コイルスプリング６２が掛け渡されており、圧縮コイルスプリング６２は、抵抗弁４６に上側（排出孔４２側）への付勢力を作用させている。圧縮コイルスプリング６２は、保持筒６０内及び内筒５２内に嵌合されており、圧縮コイルスプリング６２は、抵抗弁４６に径方向内側への付勢力を作用させている。そのため、抵抗弁４６は、ふらつかないように保持筒６０内に堅持されている。
【００３５】
保持筒６０の下側には、接続部材としての略Ｌ字形棒状の調節リンク６４の一端が固定されており、調節リンク６４の中間部は、下板３２の下側に回動可能に支持されている。調節リンク６４の他端には、第２付勢手段としての調節スプリング６６の一端が連結されており、調節スプリング６６の他端は、調節部材としての略板状の調節板６８に連結されている。調節板６８には、棒状のネジ７０が貫通かつ螺合されており、ネジ７０の一端は、調節手段としての調節モータ７２の出力軸に連結されている。このため、調節モータ７２が駆動されることで、調節モータ７２の出力軸と一体にネジ７０が軸周りに回転されて、調節板６８がネジ７０の軸方向に移動される。また、調節板６８には、円柱状の案内棒７４が貫通されており、案内棒７４は、ネジ７０と平行に配置されて、調節板６８の移動を案内する。
【００３６】
調節スプリング６６は、引張コイルスプリングにされており、調節リンク６４、保持リンク５８及び連結リンク５６を介して抵抗弁４６を下板３２の排出孔４２側に付勢している。このため、調節スプリング６６の付勢力によって抵抗弁４６の弁部４８が排出孔４２を閉鎖しており、精米室４０における米粒の圧力によって抵抗弁４６が調節スプリング６６の付勢力に抗して下側に移動されて、弁部４８が排出孔４２を開放することで、精米室４０で精米が終了した米粒（白米Ｈ）が下板３２の排出孔４２及び案内孔４４を介して排出される。また、上述の如く、調節モータ７２が駆動されて、調節板６８が移動されることで、調節リンク６４が回動されつつ、調節スプリング６６の付勢力が調節される。これにより、抵抗弁４６の弁部４８による排出孔４２の閉鎖力が調節されて、精米室４０における米粒の精米圧力が調節されることで、精米が終了した米粒の精米度（白米Ｈの白度）が調節される。
【００３７】
次に、本実施形態の作用を説明する。
【００３８】
以上の構成の精米装置１０では、ホッパ１２内に米粒（玄米Ｇ）が上側から供給されることで、米粒が、ホッパ１２内を流下されて、繰出機構１４内に供給される。これにより、繰出機構１４が、米粒を繰り出すと共に、繰り出す米粒の量を調整する。
【００３９】
繰出機構１４が繰り出した米粒は、送出筒２４と送出ロール２６との間の送出室２８に供給されて、回転される送出ロール２６の送出螺旋２６Ｂによって送出室２８を下側に送り出される。これにより、送出室２８から送り出された米粒が、精米筒３４と精米ロール３８との間の精米室４０に供給されて、回転される精米ロール３８の突条３８Ｂによって攪拌されることで、米粒と米粒との間に発生する摩擦力によって米粒が精米される。
【００４０】
また、精米室４０における米粒の圧力によって抵抗弁４６が調節スプリング６６の付勢力に抗して下側に移動されることで、抵抗弁４６の弁部４８が下板３２の排出孔４２を開放する。これにより、精米室４０で精米が終了した米粒（白米Ｈ）が下板３２の排出孔４２及び案内孔４４を介して排出される。
【００４１】
ここで、抵抗弁４６が、精米ロール３８に支持されない状態で、弁部４８において排出孔４２に軸方向へ移動可能に支持されている。このため、抵抗弁４６が、米粒の圧力を作用されて糠等の汚れが付着しにくい排出孔４２の周面と摺動されて、米粒の圧力を作用されずに糠等の汚れが付着し易い精米ロール３８の端面とは摺動されないことで、抵抗弁４６の軸方向への移動性能の低下を抑制できる。これにより、弁部４８が排出孔４２を開放するための精米室４０における米粒の圧力を安定させることができて、米粒の精米度（白米Ｈの白度）を安定させることができる。しかも、抵抗弁４６を精米ロール３８に組み付ける必要をなくすことができるため、抵抗弁４６の組付工数を削減できて、抵抗弁４６を容易に組み付けることができると共に、精米装置１０毎の抵抗弁４６の組付状態を安定させることができる。
【００４２】
また、抵抗弁４６に連結された連結リンク５６の連結枠５６Ａ内に保持リンク５８の連結球５８Ａが嵌着されることで、抵抗弁４６の径方向への回動が許容されている。このため、下板３２の排出孔４２に抵抗弁４６を組み付ける際に、排出孔４２に対し抵抗弁４６（弁部４８）を容易に同軸上に配置でき、抵抗弁４６を一層容易に組み付けることができると共に、精米装置１０毎の抵抗弁４６の組付状態を一層安定させることができる。
【００４３】
さらに、下板３２の案内面４４Ａ（案内孔４４の下側端部を除く部分の周面）の径が上側へ向かうに従い徐々に小さくされており、案内面４４Ａが抵抗弁４６（弁部４８）の排出孔４２側への回動を案内する。このため、排出孔４２に抵抗弁４６を組み付ける際に、排出孔４２に対し抵抗弁４６（弁部４８）を一層容易に同軸上に配置でき、抵抗弁４６を一層容易に組み付けることができると共に、精米装置１０毎の抵抗弁４６の組付状態を一層安定させることができる。しかも、抵抗弁４６が調節スプリング６６の付勢力により排出孔４２側に移動される際に、抵抗弁４６（弁部４８）の排出孔４２側への回動を案内面４４Ａが案内するため、弁部４８が排出孔４２を容易に閉鎖できる。
【００４４】
また、圧縮コイルスプリング６２が保持筒６０内及び抵抗弁４６の内筒５２内に嵌合されることで、圧縮コイルスプリング６２によって抵抗弁４６に径方向内側への付勢力が作用されている。このため、抵抗弁４６が軸方向へ移動される際に、抵抗弁４６の径方向への回動が抑制されることで、抵抗弁４６の軸方向への移動動作を安定させることができる。これにより、抵抗弁４６の弁部４８が排出孔４２を開放するための精米室４０における米粒の圧力を一層安定させることができて、米粒の精米度（白米Ｈの白度）を一層安定させることができる。
【００４５】
なお、本実施形態では、精米装置１０を摩擦式のものにして精米室４０の米粒を摩擦力により精米する。しかしながら、精米装置１０を研削式のものにして精米室４０の米粒を研削により精米（精穀）してもよい。
【００４６】
また、本実施形態では、本発明を精米装置１０に適用した。しかしながら、本発明を他の精穀装置に適用して、米粒以外の穀物（麦粒等）を精穀してもよい。
【符号の説明】
【００４７】
１０    精米装置（精穀装置）
３４    精米筒（精穀筒）
３８    精米ロール（精穀体）
４２    排出孔
４４    案内孔（案内手段）
４６    抵抗弁（閉鎖部材）
５６    連結リンク（許容手段）
５８    保持リンク（許容手段）
６２    圧縮コイルスプリング（付勢手段）
Ｇ    玄米（穀物）
Ｈ    白米（穀物）
【図１】
0006697844.tif 000002
【図２】
0006697844.tif 000003
【図３】
0006697844.tif 000004
【図４】
0006697844.tif 000005